(57)【要約】    一つまたは複数の基地局装置および移動局装置から構成される移動通信システムであって、一つまたは複数の前記基地局装置は、一つまたは複数の論理アンテナポートの内のそれぞれの一つまたは複数の論理アンテナポートの参照信号を異なるサブフレームに配置し、前記移動局装置は、前記一つまたは複数の論理アンテナポートのそれぞれの論理アンテナポートの参照信号を使ってチャネル状態を測定することを特徴とする移動通信システム。
2010103886.tif 000002
【特許請求の範囲】
【請求項１】
基地局装置および移動局装置から構成される移動通信システムであって、
一つまたは複数の前記基地局装置は、
一つまたは複数の論理アンテナポートの内のそれぞれの一つまたは複数の論理アンテナポートの参照信号を異なるサブフレームに配置し、
前記移動局装置は、
前記一つまたは複数の論理アンテナポートのそれぞれの論理アンテナポートの参照信号を使ってチャネル状態を測定することを特徴とする移動通信システム。
【請求項２】
基地局装置および移動局装置から構成される移動通信システムであって、
前記基地局装置は、
論理アンテナポートの数を報知し、
前記移動局装置は、
前記報知された論理アンテナポートの数から、
一つまたは複数の論理アンテナポートのそれぞれの論理アンテナポートの参照信号の配置されるサブフレームを特定することを特徴とする移動通信システム。
【請求項３】
基地局装置および移動局装置から構成される移動通信システムにおける移動局装置であって、
一つまたは複数の論理アンテナポートの内のそれぞれの一つまたは複数の論理アンテナポートの参照信号が異なるサブフレームに配置され、
前記一つまたは複数の論理アンテナポートのそれぞれの論理アンテナポートの参照信号を使ってチャネル状態を測定することを特徴とする移動局装置。
【請求項４】
基地局装置および移動局装置から構成される移動通信システムにおける移動局装置であって、
一つまたは複数の論理アンテナポートの内のそれぞれの一つまたは複数の論理アンテナポートの参照信号が異なるサブフレームに配置され、
前記基地局装置から報知された論理アンテナポートの数から、
前記一つまたは複数の論理アンテナポートのそれぞれの論理アンテナポートの参照信号の配置されるサブフレームを特定することを特徴とする移動局装置。
【発明の詳細な説明】
【技術分野】
【０００１】
本発明は、通信システム及び移動局装置に関し、より詳細には、異なる次数のマルチアンテナ送受信が存在する通信システム及び該通信システムに使用する移動局装置に関する。
【背景技術】
【０００２】
３ＧＰＰ（3rd Generation Partnership Project：第３世代パートナーシッププロジェクト）は、Ｗ−ＣＤＭＡ（Wideband-Code Division Multiple Access：広帯域−符号分割多元接続）とＧＳＭ（Global System for Mobile Communications：ジーエスエム）を発展させたネットワークを基本した携帯電話システムの仕様の検討・作成を行うプロジェクトである。【０００３】
３ＧＰＰでは、Ｗ−ＣＤＭＡ方式が第３世代セルラー移動通信方式として標準化され、順次サービスが開始されている。また、通信速度をさらに上げたＨＳＤＰＡ（High-SpeedDownlink Packet Access：エイチエスディーピーエー）も標準化され、サービスが開始されている。【０００４】
３ＧＰＰでは、第３世代無線アクセス技術の進化（ＬＴＥ（Long Term Evolution）、もしくは、ＥＵＴＲＡ（Evolved Universal Terrestrial Radio Access）と称する）、および、より広帯域なシステム帯域幅を利用して、さらなる高速なデータの送受信を実現する移動通信システム（以下、ＬＴＥ−Ａ（Long Term Evolution-Advanced）、若しくは、Ａｄｖａｎｃｅｄ−ＥＵＴＲＡと称する）に関する検討が進められている。【０００５】
ＥＵＴＲＡにおける下りリンク通信方式として、互いに直交するサブキャリアを用いてユーザ多重化を行うＯＦＤＭＡ（Orthogonal Frequency Division Multiple Access：直交周波数分割多元接続）方式が提案されている。【０００６】
また、ＯＦＤＭＡ方式において、チャネル符号化等の適応無線リンク制御（リンクアダプテーション：Link Adaptation）に基づく適応変復調・誤り訂正方式（ＡＭＣＳ：Adaptive Modulation and Coding Scheme）といった技術が適用されている。【０００７】
ＡＭＣＳとは、高速パケットデータ伝送を効率的に行うために、各移動局装置のチャネル品質に応じて、誤り訂正方式、誤り訂正の符号化率、データ変調多値数などの無線伝送パラメータ（ＡＭＣモードとも称する）を切り替える方式である。【０００８】
各移動局装置のチャネル品質は、ＣＱＩ（Channel Quality Indicator：チャネル品質指標）を使って基地局装置へフィードバックされる。【０００９】
ＯＦＤＭＡにおいて、通信可能な領域を物理的にサブキャリアに対応する周波数領域と時間領域において分割することができる。この分割領域をいくつかにまとめたものは物理リソースブロックと呼ばれ、一つ、または、いくつかの物理リソースブロックを各移動局装置へ割り振り、複数の移動局装置を多重化した通信が行なわれる。基地局装置と各移動局装置とが、その要求に応じた最適な品質・速度での通信を行なうためには、各移動局装置における各サブキャリアに対応する周波数帯のチャネル品質を考慮した物理リソースブロックへの割り当ておよび伝送方式の決定が必要である。伝送方式やスケジューリングは基地局装置が行なうため、この要求を実現するために、基地局装置へ各移動局装置から周波数領域ごとのチャネル品質がフィードバックされる。さらに、必要な場合には、基地局装置へ各移動局装置が選択した（例えば、チャネル品質の良い）周波数領域を示す情報がフィードバックされる。【００１０】
また、ＥＵＴＲＡにおいては通信路容量を増大するために、ＭＩＭＯ（Multiple InputMultiple Output）を利用したＳＤＭ（Space Division Multiplexing：空間多重技術）やＳＦＢＣ（Space-Frequency Block Diversity）、ＣＤＤ（Cycle Delay Diversity）といった送信ダイバーシティの利用が提案されている。ＭＩＭＯは多入力・多出力システムまたは技術の総称であり、送信側、受信側に複数のアンテナを用いて、電波の入出力の分岐数を複数にして伝送することを特徴とする。ＭＩＭＯ方式を利用して空間多重送信できる信号系列の単位をストリームと呼ぶ。ＭＩＭＯ通信時におけるストリームの数（Rank）は、チャネル状態を考慮し、基地局装置が決定する。移動局装置が要求するストリームの数（ランク：Rank）は、移動局装置から基地局装置へＲＩ（Rank Indicator）を使ってフィードバックされる。【００１１】
また、ダウンリンクにおけるＳＤＭの利用時については、各アンテナから送信される複数ストリームの情報を正しく分離ために、予め送信信号系列を前処理する（これを、「プレコーディング」と呼称する。）ことが検討されている。プレコーディングの情報は、移動局装置が推定したチャネル状態をもとに算出することができ、移動局装置から基地局装置にＰＭＩ（Precording Matrix Indicator）を使ってフィードバックされる。【００１２】
このように、最適な品質での通信を実現するために、各移動局装置から基地局装置へ、チャネル状態を示す様々な情報をフィードバックすることが必要とされている。このチャネル状態情報（ＣＳＩ）は、ＣＱＩ、ＰＭＩ、ＲＩなどで形成されている。これらのチャネル状態情報のビット数やフォーマットは、状況に応じて基地局装置から移動局装置へ指定される。【００１３】
図１１は、従来の無線通信システムで用いられているチャネル構成を示す図である。このチャネル構成は、ＥＵＴＲＡなどの無線通信システムで用いられている（非特許文献１参照）。図１１に示す無線通信システムは、基地局装置１００、移動局装置２００ａ、２００ｂ、２００ｃを備えている。Ｒ０１は、基地局装置１００の通信可能な範囲を示しており、基地局装置１００は、この範囲Ｒ０１内に存在する移動局装置と通信を行う。【００１４】
ＥＵＴＲＡにおいて、基地局装置１００から移動局装置２００ａ〜２００ｃへ信号を送信する下りリンクでは、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）が用いられる。【００１５】
また、ＥＵＴＲＡにおいて、移動局装置２００ａ〜２００ｃから基地局装置１００へ信号を送信する上りリンクでは、物理上りリンク共用チャネル（ＰＵＳＣＨ：Physical Uplink Shared Channel）、物理上りリンク制御チャネル（ＰＵＣＣＨ：Physical Uplink Control Channel）、物理ランダムアクセスチャネル（ＰＲＡＣＨ：Physical Random Access Channel）が用いられる。【００１６】
一方、Ａｄｖａｎｃｅｄ−ＥＵＴＲＡでは、ＥＵＴＲＡの基本的なシステムを踏襲している。さらに、ＥＵＴＲＡでは、１から４本までの論理アンテナポートによるＭＩＭＯ方式であったのに対し、Ａｄｖａｎｃｅｄ−ＥＵＴＲＡでは、１から８本までの論理アンテナポートによる高次のＭＩＭＯ方式（Higher-Order MIMO）を実現する。また、一つのセルで実現するＭＩＭＯ方式だけではなく、複数のセルの論理アンテナポートを利用して通信を行う協調複数ポイントＣｏＭＰ（Coordinated Multipoint）通信の導入も検討されている。
【先行技術文献】
【非特許文献】
【００１７】
【非特許文献１】3GPP TS(Technical Specification)36.300、V8.7.0(2008-12)、Technical Specification Group Radio Access Network、Evolved Universal Terrestrial Radio Access(E-UTRA) and Evolved Universal Terrestrial Radio Access Network(E-UTRAN);Overall description;Stage2(Release 8)
【発明の概要】
【発明が解決しようとする課題】
【００１８】
しかしながら、従来から知られている無線通信システムにおいて、１から８本までの論理アンテナポートによるＭＩＭＯ方式を導入する場合に、ＥＵＴＲＡシステムで動作する移動局装置に対する影響を最小限に抑えながら、チャネル状態を測定するための下りリンク参照信号や、高次のＭＩＭＯの復調処理のための下りリンク参照信号を、効率的に追加する必要がある。また、Ａｄｖａｎｃｅｄ−ＥＵＴＲＡシステムで動作する移動局装置が、高次のＭＩＭＯ方式で通信する場合に、効率的な手順でフィードバック用のチャネル状態情報を生成する必要がある。【００１９】
本発明は、上記事情に鑑みてなされたものであり、その目的は、低次のＭＩＭＯ方式で通信可能なシステムにおいて高次のＭＩＭＯ方式で通信を行う移動局装置を導入する際に、効率的な手順でチャネル状態情報の生成を行い、低次のＭＩＭＯ方式で動作する移動局装置に対する影響を最小限に抑えながら速やかに通信を行うことができる通信システム及び移動局装置を提供することにある。
【課題を解決するための手段】
【００２０】
本発明による第１の技術手段は、基地局装置および移動局装置から構成される移動通信システムであって、一つまたは複数の前記基地局装置は、一つまたは複数の論理アンテナポートの内のそれぞれの一つまたは複数の論理アンテナポートの参照信号を異なるサブフレームに配置し、前記移動局装置は、前記一つまたは複数の論理アンテナポートのそれぞれの論理アンテナポートの参照信号を使ってチャネル状態を測定することを特徴とする。【００２１】
本発明による第２の技術手段は、基地局装置および移動局装置から構成される移動通信システムであって、前記基地局装置は、論理アンテナポートの数を報知し、前記移動局装置は、前記報知された論理アンテナポートの数から、前記一つまたは複数の論理アンテナポートのそれぞれの論理アンテナポートの参照信号の配置されるサブフレームを特定することを特徴とする。【００２２】
本発明による第３の技術手段は、基地局装置および移動局装置から構成される移動通信システムにおける移動局装置であって、一つまたは複数の論理アンテナポートの内のそれぞれの一つまたは複数の論理アンテナポートの参照信号が異なるサブフレームに配置され、前記一つまたは複数の論理アンテナポートのそれぞれの論理アンテナポートの参照信号を使ってチャネル状態を測定することを特徴とする。【００２３】
本発明による第４の技術手段は、基地局装置および移動局装置から構成される移動通信システムにおける移動局装置であって、一つまたは複数の論理アンテナポートの内のそれぞれの一つまたは複数の論理アンテナポートの参照信号が異なるサブフレームに配置され、前記基地局装置から報知された論理アンテナポートの数から、前記一つまたは複数の論理アンテナポートのそれぞれの論理アンテナポートの参照信号の配置されるサブフレームを特定することを特徴とする。
【発明の効果】
【００２４】
本発明の通信システム及び移動局装置は、低次のＭＩＭＯ方式で通信可能なシステムにおいて高次のＭＩＭＯ方式で通信を行う移動局装置を導入する際に、効率的な手順でチャネル状態情報の生成を行い、低次のＭＩＭＯ方式で動作する移動局装置に対する影響を最小限に抑えながら速やかに通信を行うことができる。
【図面の簡単な説明】
【００２５】
【図１】本発明の第１の実施形態による通信システムで用いる下りリンクのチャネルの構成を示す図である。
【図２】本発明の第１の実施形態による通信システムで用いる上りリンクのチャネルの構成を示す図である。
【図３】本発明の本発明の第１の実施形態による下りリンクで用いる無線フレームを示す図である。
【図４】本発明の第１の実施形態による基地局装置の構成を示す概略ブロック図である。
【図５】本発明の第１の実施形態による移動局装置の構成を示す概略ブロック図である。
【図６】本発明の第１の実施形態による下りリンク参照信号を示す図である。
【図７】本発明の第１の実施形態によるＣＱＩ−ＲＳのリソースブロック内での配置例を示す図である。
【図８】本発明の第１の実施形態によるＣＱＩ−ＲＳとＤＭ−ＲＳの追加の概念図である。
【図９】本発明の第１の実施形態によるチャネル状態情報の測定方法の例を示す図である。
【図１０】本発明の第１の実施形態によるチャネル状態情報の測定方法の別の例を示す図である。
【図１１】従来の無線通信システムで用いられているチャネル構成を示す図である。
【発明を実施するための形態】
【００２６】
以下、図面を参照して、本発明の各実施形態について説明する。
【００２７】
始めに、本発明の第１の実施形態について説明する。本発明の第１の実施形態による無線通信システムは、１つ以上の基地局装置と１つ以上の移動局装置とを備えていて、その間の無線通信を行う。１つの基地局装置は、１つ以上のセルを構成し、１つのセルに１つ以上の移動局装置を収容できる。
【００２８】
図１は、本発明の第１の実施形態による通信システムで用いる下りリンクのチャネルの構成を示す図である。また、図２は、本発明の第１の実施形態による通信システムで用いる上りリンクのチャネルの構成を示す図である。図１に示す下りリンクのチャネルと、図２に示す上りリンクのチャネルは、それぞれ論理チャネル、トランスポートチャネル、物理チャネルから構成されている。
【００２９】
論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。
【００３０】
下りリンクの論理チャネルには、報知制御チャネル（ＢＣＣＨ：Broadcast Control Channel）、ページング制御チャネル（ＰＣＣＨ：Paging Control Channel）、共通制御チャネル（ＣＣＣＨ：Common Control Channel）、専用制御チャネル（ＤＣＣＨ：Dedicated Control Channel）、専用トラフィックチャネル（ＤＴＣＨ：Dedicated Traffic Channel）、マルチキャスト制御チャネル（ＭＣＣＨ：Multicast Control Channel）、マルチキャストトラフィックチャネル（ＭＴＣＨ：Multicast Traffic Channel）が含まれる。上りリンクの論理チャネルには、共通制御チャネル（ＣＣＣＨ）、専用制御チャネル（ＤＣＣＨ）、専用トラフィックチャネル（ＤＴＣＨ）が含まれる。
【００３１】
下りリンクのトランスポートチャネルには、報知チャネル（ＢＣＨ：Broadcast Channel）、ページングチャネル（ＰＣＨ：Paging Channel）、下りリンク共用チャネル（ＤＬ−ＳＣＨ：Downlink Shared Channel）、マルチキャストチャネル（ＭＣＨ：Multicast Channel）が含まれる。上りリンクのトランスポートチャネルには、上りリンク共用チャネル（ＵＬ−ＳＣＨ：Uplink Shared Channel）、ランダムアクセスチャネル（ＲＡＣＨ：Random Access Channel）が含まれる。
【００３２】
下りリンクの物理チャネルには、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）が含まれる。上りリンクの物理チャネルには、物理上りリンク共用チャネル（ＰＵＳＣＨ：Physical Uplink Shared Channel）、物理ランダムアクセスチャネル（ＰＲＡＣＨ：Physical Random Access Channel）、物理上りリンク制御チャネル（ＰＵＣＣＨ：Physical Uplink Control Channel）が含まれる。
【００３３】
これらのチャネルは、従来技術で説明した図１１のようにして基地局装置と移動局装置の間で送受信される。
【００３４】
次に、論理チャネルについて説明する。報知制御チャネル（ＢＣＣＨ）は、システム情報を報知するために使用される下りリンクチャネルである。ページング制御チャネル（ＰＣＣＨ）は、ページング情報を送信するために使用される下りリンクチャネルであり、ネットワークが移動局装置のセル位置を知らないときに使用される。
【００３５】
共通制御チャネル（ＣＣＣＨ）は、移動局装置とネットワーク間の制御情報を送信するために使用されるチャネルであり、ネットワークと無線リソース制御（ＲＲＣ：Radio Resource Control）接続を有していない移動局装置によって使用される。
【００３６】
専用制御チャネル（ＤＣＣＨ）は、１対１（point-to-point）の双方向チャネルであり、移動局装置とネットワーク間で個別の制御情報を送信するために利用するチャネルである。専用制御チャネル（ＤＣＣＨ）は、ＲＲＣ接続を有している移動局装置によって使用される。
【００３７】
専用トラフィックチャネル（ＤＴＣＨ）は、１対１の双方向チャネルであり、１つの移動局装置専用のチャネルであって、ユーザ情報（ユニキャストデータ）の転送のために利用される。
【００３８】
マルチキャスト制御チャネル（ＭＣＣＨ）は、ネットワークから移動局装置へＭＢＭＳ（Multimedia Broadcast Multicast Service：マルチメディアブロードキャストマルチキャストサービス）制御情報を、一対多（point-to-multipoint）送信するために使用される下りリンクチャネルである。これは、１対多でサービスを提供するＭＢＭＳサービスに使用される。
【００３９】
ＭＢＭＳサービスの送信方法としては、単セル一対多（ＳＣＰＴＭ：Single-Cell Point-to-Multipoint）送信と、マルチメディアブロードキャストマルチキャストサービス単一周波数網（ＭＢＳＦＮ：Multimedia Broadcast multicast service Single Frequency Network）送信とがある。ＭＢＳＦＮ送信（MBSFN Transmission）とは、複数セルから同時に識別可能な波形（信号）を送信することで実現する同時送信技術である。一方、ＳＣＰＴＭ送信とは、１つの基地局装置でＭＢＭＳサービスを送信する方法である。
【００４０】
マルチキャスト制御チャネル（ＭＣＣＨ）は、１つまたは複数のマルチキャストトラフィックチャネル（ＭＴＣＨ）に利用される。マルチキャストトラフィックチャネル（ＭＴＣＨ）は、ネットワークから移動局装置へトラフィックデータ（ＭＢＭＳ送信データ）を一対多（point-to-multipoint）送信するために使用される下りリンクチャネルである。  
【００４１】
なお、マルチキャスト制御チャネル（ＭＣＣＨ）およびマルチキャストトラフィックチャネル（ＭＴＣＨ）は、ＭＢＭＳを受信する移動局装置だけが利用する。
【００４２】
次に、トランスポートチャネルについて説明する。報知チャネル（ＢＣＨ）は、固定かつ事前に定義された送信形式によって、セル全体に報知される。下りリンク共用チャネル（ＤＬ−ＳＣＨ）では、ＨＡＲＱ（Hybrid Automatic Repeat Request：ハイブリッド自動再送要求）、動的適応無線リンク制御、間欠受信（ＤＲＸ：Discontinuous Reception）、ＭＢＭＳ送信がサポートされ、セル全体に報知される必要がある。
【００４３】
また、下りリンク共用チャネル（ＤＬ−ＳＣＨ）では、ビームフォーミングを利用可能であり、動的リソース割り当ておよび準静的リソース割り当てがサポートされる。ページングチャネル（ＰＣＨ）では、ＤＲＸがサポートされ、セル全体に報知される必要がある。
【００４４】
また、ページングチャネル（ＰＣＨ）は、トラフィックチャネルや他の制御チャネルに対して動的に使用される物理リソース、すなわち物理下りリンク共用チャネル（ＰＤＳＣＨ）、にマッピングされる。
【００４５】
マルチキャストチャネル（ＭＣＨ）は、セル全体に報知される必要がある。また、マルチキャストチャネル（ＭＣＨ）では、複数セルからのＭＢＭＳ送信のＭＢＳＦＮ（MBMS Single Frequency Network）結合（Combining）や、拡張サイクリックプリフィックス（ＣＰ：Cyclic Prefix）を使う時間フレームなど、準静的リソース割り当てがサポートされる。
【００４６】
上りリンク共用チャネル（ＵＬ−ＳＣＨ）では、ＨＡＲＱ、動的適応無線リンク制御がサポートされる。また、上りリンク共用チャネル（ＵＬ−ＳＣＨ）では、ビームフォーミングを利用可能である。動的リソース割り当ておよび準静的リソース割り当てがサポートされる。ランダムアクセスチャネル（ＲＡＣＨ）は、限られた制御情報が送信され、衝突リスクがある。
【００４７】
次に、物理チャネルについて説明する。物理報知チャネル（ＰＢＣＨ）は、４０ミリ秒間隔で報知チャネル（ＢＣＨ）をマッピングする。４０ミリ秒のタイミングは、ブラインド検出（blind detection）される。すなわち、タイミング提示のために、明示的なシグナリングを行わなくても良い。また、物理報知チャネル（ＰＢＣＨ）を含むサブフレームは、そのサブフレームだけで復号できる（自己復号可能（self-decodable）である）。
【００４８】
物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ）情報、および、物理上りリンク共用チャネル（ＰＵＳＣＨ）のリソース割り当てである上りリンク送信許可（上りリンクグラント）を移動局装置に通知するために使用されるチャネルである。
【００４９】
物理下りリンク共用チャネル（ＰＤＳＣＨ）は、下りリンクデータまたはページング情報を送信するために使用されるチャネルである。物理マルチキャストチャネル（ＰＭＣＨ）は、マルチキャストチャネル（ＭＣＨ）を送信するために利用するチャネルであり、下りリンク参照信号（下りリンクリファレンスシグナル）、上りリンク参照信号（上りリンクリファレンスシグナル）、物理下りリンク同期信号が別途配置される。
【００５０】
物理上りリンク共用チャネル（ＰＵＳＣＨ）は、主に上りリンクデータ（ＵＬ−ＳＣＨ）を送信するために使用されるチャネルである。基地局装置１００が、移動局装置２００をスケジューリングした場合には、チャネル状態情報（下りリンクのチャネル品質識別子ＣＱＩ（Channel Quality Indicator）、プレコーディングマトリックス識別子ＰＭＩ（Precoding Matrix Indicator）、ランク識別子ＲＩ（Rank Indicator））や下りリンク送信に対するＨＡＲＱ肯定応答（ＡＣＫ：Acknowledgement）／否定応答（ＮＡＣＫ：Negative Acknowledgement）も物理上りリンク共用チャネル（ＰＵＳＣＨ）を使用して送信される。
【００５１】
物理ランダムアクセスチャネル（ＰＲＡＣＨ）は、ランダムアクセスプリアンブルを送信するために使用されるチャネルであり、ガードタイムを持つ。物理上りリンク制御チャネル（ＰＵＣＣＨ）は、チャネル状態情報（ＣＱＩ、ＰＭＩ、ＲＩ）、スケジューリング要求（ＳＲ：Scheduling Request）、下りリンク送信に対するＨＡＲＱ、肯定応答／否定応答などを送信するために使用されるチャネルである。
【００５２】
物理制御フォーマット指示チャネル（ＰＣＦＩＣＨ）は、物理下りリンク制御チャネル（ＰＤＣＣＨ）のために使用されるＯＦＤＭシンボル数を移動局装置に通知するために利用するチャネルであり、各サブフレームで送信される。
【００５３】
物理ハイブリッド自動再送要求指示チャネル（ＰＨＩＣＨ）は、上りリンク送信に対するＨＡＲＱ  ＡＣＫ／ＮＡＣＫを送信するために利用するチャネルである。
【００５４】
下りリンク参照信号（ＤＬ−ＲＳ：Downlink Reference Signal）は、セル毎に所定の電力で送信されるパイロットシグナルである。また、下りリンク参照信号は、所定の時間間隔（例えば１フレーム）で周期的に繰り返される信号であり、移動局装置は、所定の時間間隔において下りリンク参照信号を受信し、チャネル状態（受信品質）を測定することによって、セル毎のチャネル状態の判断に用いる。また、下りリンク参照信号と同時に送信される下りデータの復調のための参照用の信号として用いる。下りリンク参照信号に使用される系列は、セル毎に一意に識別可能な系列であれば、任意の系列を用いても良い。
【００５５】
次に、本発明の第１の実施形態による通信システムによるチャネルマッピングについて説明する。
【００５６】
図１に示されるように、下りリンクでは、次のようにトランスポートチャネルと物理チャネルのマッピングが行われる。報知チャネル（ＢＣＨ）は、物理報知チャネル（ＰＢＣＨ）にマッピングされる。
【００５７】
マルチキャストチャネル（ＭＣＨ）は、物理マルチキャストチャネル（ＰＭＣＨ）にマッピングされる。ページングチャネル（ＰＣＨ）および下りリンク共用チャネル（ＤＬ−ＳＣＨ）は、物理下りリンク共用チャネル（ＰＤＳＣＨ）にマッピングされる。
【００５８】
物理下りリンク制御チャネル（ＰＤＣＣＨ）、物理ハイブリッド自動再送要求指示チャネル（ＰＨＩＣＨ）、物理制御フォーマット指示チャネル（ＰＣＦＩＣＨ）は、物理チャネル単独で使用される。
【００５９】
一方、上りリンクでは、次のようにトランスポートチャネルと物理チャネルのマッピングが行われる。上りリンク共用チャネル（ＵＬ−ＳＣＨ）は、物理上りリンク共用チャネル（ＰＵＳＣＨ）にマッピングされる。
【００６０】
ランダムアクセスチャネル（ＲＡＣＨ）は、物理ランダムアクセスチャネル（ＰＲＡＣＨ）にマッピングされる。物理上りリンク制御チャネル（ＰＵＣＣＨ）は、物理チャネル単独で使用される。
【００６１】
また、下りリンクにおいて、次のように論理チャネルとトランスポートチャネルのマッピングが行われる。ページング制御チャネル（ＰＣＣＨ）は、ページングチャネル（ＰＣＨ）にマッピングされる。
【００６２】
報知制御チャネル（ＢＣＣＨ）は、報知チャネル（ＢＣＨ）と下りリンク共用チャネル（ＤＬ−ＳＣＨ）にマッピングされる。共通制御チャネル（ＣＣＣＨ）、専用制御チャネル（ＤＣＣＨ）、専用トラフィックチャネル（ＤＴＣＨ）は、下りリンク共用チャネル（ＤＬ−ＳＣＨ）にマッピングされる。
【００６３】
マルチキャスト制御チャネル（ＭＣＣＨ）は、下りリンク共用チャネル（ＤＬ−ＳＣＨ）とマルチキャストチャネル（ＭＣＨ）にマッピングされる。マルチキャストトラフィックチャネル（ＭＴＣＨ）は、下りリンク共用チャネル（ＤＬ−ＳＣＨ）とマルチキャストチャネル（ＭＣＨ）にマッピングされる。
【００６４】
なお、マルチキャスト制御チャネル（ＭＣＣＨ）およびマルチキャストトラフィックチャネル（ＭＴＣＨ）からマルチキャストチャネル（ＭＣＨ）へのマッピングは、ＭＢＳＦＮ送信時に行われる一方、ＳＣＰＴＭ送信時は、このマッピングは下りリンク共用チャネル（ＤＬ−ＳＣＨ）にマッピングされる。
【００６５】
一方、上りリンクにおいて次のように論理チャネルとトランスポートチャネルのマッピングが行われる。共通制御チャネル（ＣＣＣＨ）、専用制御チャネル（ＤＣＣＨ）、専用トラフィックチャネル（ＤＴＣＨ）は、上りリンク共用チャネル（ＵＬ−ＳＣＨ）にマッピングされる。ランダムアクセスチャネル（ＲＡＣＨ）は、論理チャネルとマッピングされない。
【００６６】
図３は、本発明の第１の実施形態による通信システムの下りリンクで用いるフレーム構成を示す図である。図３、横軸は時間を示しており、縦軸は周波数を示している。
【００６７】
システムフレーム番号（ＳＦＮ：System Frame Number）で識別される無線フレームは１０ミリ秒（１０ｍｓ）で構成されている。また、１サブフレームは１ミリ秒（１ｍｓ）で構成されており、無線フレームには１０個のサブフレーム＃Ｆ０〜＃Ｆ９が含まれる。
【００６８】
図３に示すように、下りリンクで用いる無線フレームには、物理制御フォーマット指示チャネル（ＰＣＦＩＣＨ）、物理ハイブリッド自動再送要求指示チャネル（ＰＨＩＣＨ）、物理下りリンク制御チャネル（ＰＤＣＣＨ）、物理下りリンク同期信号、物理報知チャネル（ＰＢＣＨ）、物理下りリンク共用チャネル（ＰＤＳＣＨ）／物理マルチキャストチャネル（ＰＭＣＨ）、下りリンク参照信号が配置されている。
【００６９】
上りリンクで用いる無線フレームには、物理ランダムアクセスチャネル（ＰＲＡＣＨ）、物理上りリンク制御チャネル（ＰＵＣＣＨ）、物理上りリンク共用チャネル（ＰＵＳＣＨ）、上りリンク復調用参照信号、上りリンク測定用参照信号が配置されている。
１サブフレーム（例えば、サブフレーム＃Ｆ０）は、２つのスロット＃Ｓ０、＃Ｓ１に分離される。通常のサイクリックプレフィックス（normal CP）が使用される場合、下りリンクのスロットは７個のＯＦＤＭシンボルで構成され（図３参照）、上りリンクのスロットは７個のＳＣ−ＦＤＭＡ（Single Carrier-Frequency Division Multiple Access）シンボルで構成される。
【００７０】
なお、拡張ＣＰ（long CP、または、extended CPとも称する）が使用される場合は、下りリンクのスロットは６個のＯＦＤＭシンボルで構成され、上りリンクのスロットは６個のＳＣ−ＦＤＭＡシンボルで構成される。
【００７１】
また、１つのスロットは周波数方向に複数のブロックに分割される。１５ｋＨｚのサブキャリア１２本を周波数方向の単位として、１個の物理リソースブロック（ＰＲＢ）を構成する。物理リソースブロック（ＰＲＢ）数は、システム帯域幅に応じて、６個から１１０個までサポートされる。図３では、物理リソースブロック（ＰＲＢ）数が２５個の場合を示す。また、上りリンクと下りリンクで異なるシステム帯域幅を使用することも可能である。また、アグリゲーションにより、全システム帯域幅を１１０個以上にすることも可能である。通常コンポーネントキャリアは１００物理リソースブロックで構成し、コンポーネントキャリア間にガードバンドをはさんで、５個のコンポーネントキャリアで、全システム帯域幅を５００物理リソースブロックにすることができる。これを、帯域幅で表現すると、例えば、コンポーネントキャリアは２０ＭＨｚで構成し、コンポーネントキャリア間にガードバンドをはさんで、５個のコンポーネントキャリアで、全システム帯域幅を１００ＭＨｚにすることができる。
【００７２】
下りリンク、上りリンクのリソース割り当ては、時間方向にサブフレーム単位かつ周波数方向に物理リソースブロック（ＰＲＢ）単位で行われる。すなわち、サブフレーム内の２つのスロットは、一つのリソース割り当て信号で割り当てられる。
【００７３】
サブキャリアとＯＦＤＭシンボルまたはサブキャリアとＳＣ−ＦＤＭＡシンボルで構成される単位をリソースエレメント（ＲＥ）と称する。物理層でのリソースマッピング処理で各リソースエレメントに対して変調シンボルなどがマッピングされる。
【００７４】
図４は、本発明の第１の実施形態による基地局装置１００の構成を示す概略ブロック図である。基地局装置１００は、データ制御部１０１、ＯＦＤＭ変調部１０２、無線部１０３、スケジューリング部１０４、チャネル推定部１０５、ＤＦＴ−Ｓ−ＯＦＤＭ（ＤＦＴ−Ｓｐｒｅａｄ−ＯＦＤＭ）復調部１０６、データ抽出部１０７、上位層１０８、アンテナ部Ａ１を備えている。
【００７５】
無線部１０３、スケジューリング部１０４、チャネル推定部１０５、ＤＦＴ−Ｓ−ＯＦＤＭ復調部１０６、データ抽出部１０７、上位層１０８およびアンテナ部Ａ１は、受信部を構成している。また、データ制御部１０１、ＯＦＤＭ変調部１０２、無線部１０３、スケジューリング部１０４、上位層１０８およびアンテナ部Ａ１は、送信部を構成している。それぞれの送信部、受信部の一部は、コンポーネントキャリアごとに別々に処理するように構成され、一部は、コンポーネントキャリア間で共通の処理を行うように構成されている。
【００７６】
アンテナ部Ａ１、無線部１０３、チャネル推定部１０５、ＤＦＴ−Ｓ−ＯＦＤＭ復調部１０６およびデータ抽出部１０７は、上りリンクの物理層の処理を行う。アンテナ部Ａ２、データ制御部１０１、ＯＦＤＭ変調部１０２および無線部１０３は、下りリンクの物理層の処理を行う。
【００７７】
データ制御部１０１は、スケジューリング部１０４からトランスポートチャネルを取得する。データ制御部１０１は、トランスポートチャネルと、スケジューリング部１０４から入力されるスケジューリング情報に基づいて物理層で生成される信号およびチャネルを、スケジューリング部１０４から入力されるスケジューリング情報に基づいて、物理チャネルにマッピングする。以上のようにマッピングされた各データは、ＯＦＤＭ変調部１０２へ出力される。
【００７８】
ＯＦＤＭ変調部１０２は、データ制御部１０１から入力されたデータに対して、スケジューリング部１０４から入力されるスケジューリング情報（下りリンク物理リソースブロック（ＰＲＢ）割り当て情報（例えば、周波数、時間など物理リソースブロック位置情報）や、各下りリンク物理リソースブロック（ＰＲＢ）に対応する変調方式および符号化方式（例えば、１６ＱＡＭ変調、２／３コーディングレート）などを含む）に基づいて、符号化、データ変調、入力信号の直列／並列変換、ＩＦＦＴ（Inverse Fast Fourier Transform：逆高速フーリエ変換）処理、サイクリックプレフィックス（ＣＰ）の挿入、並びに、フィルタリングなどＯＦＤＭ信号処理を行い、ＯＦＤＭ信号を生成して、無線部１０３へ出力する。
【００７９】
無線部１０３は、ＯＦＤＭ変調部１０２から入力された変調データを無線周波数にアップコンバートして無線信号を生成し、アンテナ部Ａ１を介して、移動局装置２００に送信する。また、無線部１０３は、移動局装置２００からの上りリンクの無線信号を、アンテナ部Ａ１を介して受信し、ベースバンド信号にダウンコンバートして、受信データをチャネル推定部１０５とＤＦＴ−Ｓ−ＯＦＤＭ復調部１０６とに出力する。
【００８０】
スケジューリング部１０４は、媒体アクセス制御（ＭＡＣ：Medium Access Control）層の処理を行う。スケジューリング部１０４は、論理チャネルとトランスポートチャネルのマッピング、下りリンクおよび上りリンクのスケジューリング（ＨＡＲＱ処理、トランスポートフォーマットの選択など）などを行う。スケジューリング部１０４は、各物理層の処理部を統合して制御するため、スケジューリング部１０４と、アンテナ部Ａ１、無線部１０３、チャネル推定部１０５、ＤＦＴ−Ｓ−ＯＦＤＭ復調部１０６、データ制御部１０１、ＯＦＤＭ変調部１０２およびデータ抽出部１０７との間のインターフェースが存在する。ただし、図示しない。
【００８１】
スケジューリング部１０４は、下りリンクのスケジューリングでは、移動局装置２００から受信したフィードバック情報（下りリンクのチャネル状態情報（チャネル品質（ＣＱＩ）、ストリームの数（ＲＩ）、プレコーディング情報（ＰＭＩ）など））や、下りリンクデータに対するＡＣＫ／ＮＡＣＫフィードバック情報など）、各移動局装置の使用可能な下りリンク物理リソースブロック（ＰＲＢ）の情報、バッファ状況、上位層１０８から入力されたスケジューリング情報などに基づいて、各データを変調するための下りリンクのトランスポートフォーマット（送信形態）（物理リソースブロック（ＰＲＢ）の割り当ておよび変調方式および符号化方式など）の選定処理、ＨＡＲＱにおける再送制御および下りリンクのスケジューリングに使用されるスケジューリング情報の生成を行う。これら下りリンクのスケジューリングに使用されるスケジューリング情報は、データ制御部１０１およびデータ抽出部１０７へ出力される。
【００８２】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能な下りリンク物理リソースブロック（ＰＲＢ）の情報、上位層１０８から入力されたスケジューリング情報などに基づいて、各データを変調するための上りリンクのトランスポートフォーマット（送信形態）（物理リソースブロック（ＰＲＢ）の割り当ておよび変調方式および符号化方式など）の選定処理および上りリンクのスケジューリングに使用されるスケジューリング情報の生成を行う。
【００８３】
これら上りリンクのスケジューリングに使用されるスケジューリング情報は、データ制御部１０１およびデータ抽出部１０７へ出力される。
【００８４】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００８５】
チャネル推定部１０５は、上りリンクデータの復調のために、上りリンク復調用参照信号（ＤＲＳ：Demodulation Reference Signal）から上りリンクのチャネル状態を推定し、その推定結果をＤＦＴ−Ｓ−ＯＦＤＭ復調部１０６に出力する。また、上りリンクのスケジューリングを行うために、上りリンク測定用参照信号（ＳＲＳ：Sounding Reference Signal）から上りリンクのチャネル状態を推定し、その推定結果をスケジューリング部１０４に出力する。
【００８６】
なお、上りリンクの通信方式は、ＤＦＴ−Ｓ−ＯＦＤＭ等のようなシングルキャリア方式を想定しているが、ＯＦＤＭ方式のようなマルチキャリア方式を用いても良い。
【００８７】
ＤＦＴ−Ｓ−ＯＦＤＭ復調部１０６は、チャネル推定部１０５から入力された上りリンクのチャネル状態推定結果に基づいて、無線部１０３から入力された変調データに対し、ＤＦＴ（Discrete Fourier Transform：離散フーリエ変換）変換、サブキャリアマッピング、ＩＦＦＴ変換、フィルタリング等のＤＦＴ−Ｓ−ＯＦＤＭ信号処理を行って、復調処理を施し、データ抽出部１０７に出力する。
【００８８】
データ抽出部１０７は、スケジューリング部１０４からのスケジューリング情報に基づいて、ＤＦＴ−Ｓ−ＯＦＤＭ復調部１０６から入力されたデータに対して、正誤を確認するとともに、確認結果（肯定信号ＡＣＫ／否定信号ＮＡＣＫ）をスケジューリング部１０４に出力する。
【００８９】
また、データ抽出部１０７は、スケジューリング部１０４からのスケジューリング情報に基づいて、ＤＦＴ−Ｓ−ＯＦＤＭ復調部１０６から入力されたデータからトランスポートチャネルと物理層の制御データとに分離して、スケジューリング部１０４に出力する。
【００９０】
分離された制御データには、移動局装置２００から通知されたフィードバック情報（下りリンクのチャネル状態情報（ＣＱＩ、ＰＭＩ、ＲＩ）、下りリンクのデータに対するＡＣＫ／ＮＡＣＫフィードバック情報）などが含まれている。
【００９１】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行う。上位層１０８は、下位層の処理部を統合して制御するため、上位層１０８と、スケジューリング部１０４、アンテナ部Ａ１、無線部１０３、チャネル推定部１０５、ＤＦＴ−Ｓ−ＯＦＤＭ復調部１０６、データ制御部１０１、ＯＦＤＭ変調部１０２およびデータ抽出部１０７との間のインターフェースが存在する。ただし、図示しない。
【００９２】
上位層１０８は、無線リソース制御部１０９を有している。また、無線リソース制御部１０９は、各種設定情報の管理、システム情報の管理、測定設定および測定結果の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行っている。上位層１０８は、別の基地局装置への情報および上位ノードへの情報の授受を行う。
【００９３】
図５は、本発明の第１の実施形態による移動局装置２００の構成を示す概略ブロック図である。移動局装置２００は、データ制御部２０１、ＤＦＴ−Ｓ−ＯＦＤＭ変調部２０２、無線部２０３、スケジューリング部２０４、チャネル推定部２０５、ＯＦＤＭ復調部２０６、データ抽出部２０７、上位層２０８、アンテナ部Ａ２を備えている。
【００９４】
データ制御部２０１、ＤＦＴ−Ｓ−ＯＦＤＭ変調部２０２、無線部２０３、スケジューリング部２０４、上位層２０８およびアンテナ部Ａ２は、送信部を構成している。また、無線部２０３、スケジューリング部２０４、チャネル推定部２０５、ＯＦＤＭ復調部２０６、データ抽出部２０７、上位層２０８およびアンテナ部Ａ２は、受信部を構成している。また、スケジューリング部２０４は、選択部を構成している。
【００９５】
アンテナ部Ａ２、データ制御部２０１、ＤＦＴ−Ｓ−ＯＦＤＭ変調部２０２および無線部２０３は、上りリンクの物理層の処理を行う。アンテナ部Ａ２、無線部２０３、チャネル推定部２０５、ＯＦＤＭ復調部２０６およびデータ抽出部２０７は、下りリンクの物理層の処理を行う。それぞれの送信部、受信部の一部は、コンポーネントキャリアごとに別々に処理するように構成され、一部は、コンポーネントキャリア間で共通の処理を行うように構成されている。
【００９６】
データ制御部２０１は、スケジューリング部２０４からトランスポートチャネルを取得する。データ制御部２０１は、トランスポートチャネルと、スケジューリング部１０４から入力されるスケジューリング情報に基づいて物理層で生成される信号およびチャネルを、スケジューリング部２０４から入力されるスケジューリング情報に基づいて、物理チャネルにマッピングする。このようにマッピングされた各データは、ＤＦＴ−Ｓ−ＯＦＤＭ変調部２０２へ出力される。
【００９７】
ＤＦＴ−Ｓ−ＯＦＤＭ変調部２０２は、データ制御部２０１から入力されたデータに対し、データ変調、ＤＦＴ処理、サブキャリアマッピング、逆高速フーリエ変換（ＩＦＦＴ）処理、サイクリックプレフィックス（ＣＰ）挿入、フィルタリングなどのＤＦＴ−Ｓ−ＯＦＤＭ信号処理を行い、ＤＦＴ−Ｓ−ＯＦＤＭ信号を生成して、無線部２０３へ出力する。
【００９８】
なお、上りリンクの通信方式は、ＤＦＴ−Ｓ−ＯＦＤＭ等のようなシングルキャリア方式を想定しているが、代わりにＯＦＤＭ方式のようなマルチキャリア方式を用いても良い。
【００９９】
無線部２０３は、ＤＦＴ−Ｓ−ＯＦＤＭ変調部２０２から入力された変調データを無線周波数にアップコンバートして無線信号を生成し、アンテナ部Ａ２を介して、基地局装置１００に送信する。
【０１００】
また、無線部２０３は、基地局装置１００からの下りリンクのデータで変調された無線信号を、アンテナ部Ａ２を介して受信し、ベースバンド信号にダウンコンバートして、受信データを、チャネル推定部２０５およびＯＦＤＭ復調部２０６に出力する。
【０１０１】
スケジューリング部２０４は、媒体アクセス制御層の処理を行う。スケジューリング部１０４は、論理チャネルとトランスポートチャネルのマッピング、下りリンクおよび上りリンクのスケジューリング（ＨＡＲＱ処理、トランスポートフォーマットの選択など）などを行う。スケジューリング部１０４は、各物理層の処理部を統合して制御するため、スケジューリング部１０４と、アンテナ部Ａ２、データ制御部２０１、ＤＦＴ−Ｓ−ＯＦＤＭ変調部２０２、チャネル推定部２０５、ＯＦＤＭ復調部２０６、データ抽出部２０７および無線部２０３との間のインターフェースが存在する。ただし、図示しない。
【０１０２】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行う。これら下りリンクのスケジューリングに使用されるスケジューリング情報は、データ制御部２０１およびデータ抽出部２０７へ出力される。
【０１０３】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行う。
【０１０４】
なお、上りリンクのトランスポートフォーマットについては、基地局装置１００から通知された情報を利用する。これらスケジューリング情報は、データ制御部２０１およびデータ抽出部２０７へ出力される。
【０１０５】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネル状態情報（ＣＱＩ、ＰＭＩ、ＲＩ）や、データ抽出部２０７から入力されたＣＲＣ確認結果についても、データ制御部２０１へ出力する。
【０１０６】
また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【０１０７】
チャネル推定部２０５は、下りリンクデータの復調のために、下りリンク参照信号（ＲＳ）から下りリンクのチャネル状態を推定し、その推定結果をＯＦＤＭ復調部２０６に出力する。
【０１０８】
また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネル状態情報（チャネル品質情報など）に変換して、スケジューリング部２０４に出力する。また、基地局装置１００に下りリンクの測定結果を通知するために、下りリンク参照信号（ＲＳ）の測定結果を無線リソース制御部２０９に出力する。
【０１０９】
ＯＦＤＭ復調部２０６は、チャネル推定部２０５から入力された下りリンクのチャネル状態推定結果に基づいて、無線部２０３から入力された変調データに対して、ＯＦＤＭ復調処理を施し、データ抽出部２０７に出力する。
【０１１０】
データ抽出部２０７は、ＯＦＤＭ復調部２０６から入力されたデータに対して、巡回冗長検査（ＣＲＣ）を行い、正誤を確認するとともに、確認結果（ＡＣＫ／ＮＡＣＫフィードバック情報）をスケジューリング部２０４に出力する。
【０１１１】
また、データ抽出部２０７は、スケジューリング部２０４からのスケジューリング情報に基づいて、ＯＦＤＭ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。このとき、物理下りリンク制御信号（ＰＤＣＣＨ）の検索空間（検索領域ともいう）をデコード処理し、自局宛の下りリンクまたは上りリンクのリソース割り当てなどを抽出する。
【０１１２】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行う。上位層２０８は、無線リソース制御部２０９を有している。上位層２０８は、下位層の処理部を統合して制御するため、上位層２０８と、スケジューリング部２０４、アンテナ部Ａ２、データ制御部２０１、ＤＦＴ−Ｓ−ＯＦＤＭ変調部２０２、チャネル推定部２０５、ＯＦＤＭ復調部２０６、データ抽出部２０７および無線部２０３との間のインターフェースが存在する。ただし、図示しない。
【０１１３】
無線リソース制御部２０９は、各種設定情報の管理、システム情報の管理、測定設定および測定結果の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行う。
【０１１４】
図６は、本発明の下りリンク参照信号（４論理アンテナポートの場合）についての詳細を示した図である。図のように、４つの論理アンテナポートのＥＵＴＲＡシステムでは、各スロットの第１、第２、第５ＯＦＤＭシンボルに下りリンク参照信号が配置される。また、下りリンク参照信号は、３サブキャリアおき（各論理アンテナポートでは６サブキャリアおき）に配置される。ただし、下りリンク参照信号のサブキャリア位置は、下りリンク同期信号から特定される物理セルＩＤに基づいて、サブキャリア方向にシフトされ、セル特有の位置に配置される。通常のサブフレームには、このような構成で下りリンク参照信号が配置されるが、ＭＢＭＳ用のサブフレームなど特定のサブフレームには別の下りリンク参照信号が配置される場合もある。
【０１１５】
４論理アンテナポートの場合は、第１、第５ＯＦＤＭシンボルには、１番および２番論理アンテナポートの参照信号が配置され、第２ＯＦＤＭシンボルには、３番および４番論理アンテナポートの参照信号が配置される。２論理アンテナポートの場合は、第１、第５ＯＦＤＭシンボルに、１番および２番論理アンテナポートの参照信号が配置される。１論理アンテナポートの場合は、第１ＯＦＤＭシンボルに、１番論理アンテナポートの参照信号が配置され、６サブキャリアおきに配置される。論理アンテナポートの数は、１、２、４本のいずれかであり、物理報知チャネル（ＰＢＣＨ）から特定される。論理アンテナポートを構成する物理アンテナポートは、同じである必要はなく、複数のアレイアンテナなどで一つの論理アンテナポートを構成しても良い。
【０１１６】
ＥＵＴＲＡにおける移動局装置は、これらの参照信号を、チャネル状態情報の測定および下りリンクデータ復調の両方のために使用する。なお、チャネル状態情報の測定指標としては、ＳＩＲ（Ｓｉｇｎａｌ−ｔｏ−Ｉｎｔｅｒｆｅｒｅｎｃｅ  Ｒａｔｉｏ：信号対干渉電力比）、ＳＩＮＲ（Ｓｉｇｎａｌ−ｔｏ−Ｉｎｔｅｒｆｅｒｅｎｃｅ  ｐｌｕｓ  Ｎｏｉｓｅ  Ｒａｔｉｏ：信号対干渉雑音電力比）、ＳＮＲ（Ｓｉｇｎａｌ−ｔｏ−Ｎｏｉｓｅ  Ｒａｔｉｏ：信号対雑音電力比）、ＣＩＲ（Ｃａｒｒｉｅｒ−ｔｏ−Ｉｎｔｅｒｆｅｒｅｎｃｅ  Ｒａｔｉｏ：搬送波対干渉電力比）、ＢＬＥＲ（Ｂｌｏｃｋ  Ｅｒｒｏｒ  Ｒａｔｅ：ブロック誤り率）、パスロスなどが使用される。チャネル状態情報の測定の際には、移動局装置は、各論理アンテナポートのチャネル状態情報の測定指標から、ＲＩを決定し送信する。さらに、移動局装置は、送信したＲＩを元に、選択可能なプレコーディングマトリックスのコードブックのサブセットを特定し、最もチャネル状態情報の測定指標が向上するＰＭＩをプレコーディングマトリックスのコードブックサブセットから選択する。移動局装置は、ＣＱＩの測定の際、ＣＱＩの値に応じた変調方式、トランスポートブロックサイズで特定されるトランスポートブロックのエラー確率が０．１を超えないように、ＣＱＩの値を選択する。移動局装置は、ＲＩのフィードバックおよび／またはＰＭＩのフィードバックを行った場合には、そのＲＩ，ＰＭＩでデータが送信されたことを想定して、ＣＱＩを測定する。このＲＩ，ＰＭＩ，ＣＱＩの測定の際、エラー確率が０．１を超えないようにするトランスポートブロックの解釈において想定されるリソースは、ＣＱＩ参照リソースと呼ばれる。ＣＱＩ参照リソースは、周波数方向では、ＣＱＩの測定を行う周波数帯域幅に関連するＰＲＢグループ、時間方向では、１サブフレームで定義される。
【０１１７】
一方、上記のような１から４本の論理アンテナポートで構成されているシステムに、新たに高次ＭＩＭＯ用の参照信号を追加すると、データが配置されるリソースエレメントに参照信号を追加することになる。ＥＵＴＲＡにおける移動局装置や高次ＭＩＭＯが導入されていることを認識していない移動局装置は、追加された参照信号を意識することなく、データが配置されているとして、復調することになる。この場合、参照信号が追加された部分のリソースエレメントのデータは正しく復調することができず、誤り検出、誤り訂正処理、ＨＡＲＱ処理によって、補償するしかない。しかしながら、この追加される参照信号の量がそれほど多くない場合であれば、誤り訂正処理によって回復可能である。
【０１１８】
高次ＭＩＭＯを使用する移動局装置を、低モビリティの伝播路変動の少ない状況の移動局装置に限定してしまえば、チャネル状態情報の測定には、時間的に高い密度は要求されない。周波数の密度についても、ＣＱＩをサブバンドごとに測定することを考慮すれば、ＥＵＴＲＡの参照信号ほど密度は要求されない。移動局装置が下りリンクデータ復調する際にのみ、高い密度の参照信号が追加されればよい。よって、以下、チャネル状態情報の測定に使用する参照信号をＣＱＩ−ＲＳ、下りリンクデータの復調に使用する参照信号ＤＭ−ＲＳと呼ぶことにする。ＥＵＴＲＡにおける移動局装置は、ＣＱＩ−ＲＳおよびＤＭ−ＲＳともに同じ参照信号（ただし、ＥＵＴＲＡにおける論理アンテナポート５は移動局特有でＤＭ−ＲＳとしてのみ用いられる。）である。
【０１１９】
ＣＱＩ−ＲＳの時間・周波数密度をまばらにするために、各論理アンテナポートが配置されるサブフレームを限定されたものとする。また、ＣＱＩ−ＲＳのサブキャリア間隔をＰＲＢに２つ（６サブキャリアごと）やＰＲＢに１つ（１２サブキャリアごと）や３ＰＲＢに１つ（３６サブキャリアごと）程度のものとする。高次ＭＩＭＯを使用する移動局装置または高次ＭＩＭＯを使用可能な移動局装置またはＡｄｖａｎｃｅｄ−ＥＵＴＲＡＮの移動局装置にのみこの追加されたＣＱＩ−ＲＳの位置が通知される。追加された参照信号を認識した移動局装置は、追加された参照信号が配置されたリソースエレメントにはデータが配置されないとしてデコードを行うようにする。基地局装置は、データをリソースエレメントに配置する際には、追加された参照信号が配置されたリソースエレメントにはデータを配置しない。各リソースブロックは、移動局装置ごとにスケジューリングされるので、追加された参照信号を認識している移動局装置と認識していない移動局装置でデータの配置方法を異ならせることが可能である。または、設計を簡単にするため、ＥＵＴＲＡＮの移動局装置と同様、追加された参照信号を認識した移動局装置も、追加された参照信号が配置されたリソースエレメントを区別することなくデータが配置されたものとしてデコードを行う。その場合、基地局装置は、データをリソースエレメントに配置する際には、追加された参照信号に配置するデータをパンクチャする。
【０１２０】
一方、ＤＭ−ＲＳは、各移動局装置に特有な配置方法が可能であり、スケジューリングされた際のストリームの数（ランク）にあわせて必要な量のリソースエレメントに配置される。
【０１２１】
移動局装置は、論理アンテナポート１、論理アンテナポート２、論理アンテナポート３、論理アンテナポート４（この例において、論理アンテナポート１から論理アンテナポート４を第一の論理アンテナポートとする。）のチャネル状態の測定には、各サブフレームに配置されている図６の参照信号を使用する。一方、論理アンテナポート５、論理アンテナポート６、論理アンテナポート７、論理アンテナポート８（この例において、論理アンテナポート５から論理アンテナポート８を第二の論理アンテナポートとする。）の高次ＭＩＭＯ用の参照信号が配置されるサブフレームは、報知情報チャネル（ＢＣＣＨ）を使って報知されたり、共通制御チャネル（ＣＣＣＨ）および／または専用制御チャネル（ＤＣＣＨ）のＲＲＣシグナリングで、基地局装置から個々の移動局装置へ通知されたりする。基本的には、高次ＭＩＭＯを行う移動局装置全部が同じＣＱＩ−ＲＳを使用するので、高次ＭＩＭＯ用の参照信号が配置されるサブフレームは報知されることが望ましい。この報知情報チャネル（ＢＣＣＨ）で報知されるシステム情報は、既存のＥＵＴＲＡにおける移動局装置は読まないように、システム情報の拡張領域（予約領域）に含めて送信される。しかしながら、ハンドオーバーの際に前もって移動局装置へ通知しておく場合や高次ＭＩＭＯを行う移動局装置が極端に少ない場合などは、ＲＲＣシグナリングを使うことも効率がよい。また、ＲＲＣシグナリングは、高次ＭＩＭＯを行うか否かを基地局装置から移動局装置へ通知するためにも使用される。
【０１２２】
高次ＭＩＭＯ用の参照信号が配置されるサブフレームの通知方法はいくつかある。常に、高次ＭＩＭＯが使用される場合には、論理アンテナポートの数が最大８本までと定められている場合には、追加される論理アンテナポート（第二の論理アンテナポート）の数は、８−ｎ本となる。ｎは、物理報知チャネル（ＰＢＣＨ）で特定されるＥＵＴＲＡ用の論理アンテナポート（第一の論理アンテナポート）の数である。すなわち、移動局装置は、ＥＵＴＲＡ用の論理アンテナポートの数から追加される論理アンテナポートの数を特定する。または、高次ＭＩＭＯが使用される場合の論理アンテナポート数を可変とする場合には、追加される論理アンテナポート数または高次ＭＩＭＯが使用される場合の論理アンテナポート数を通知する。これにより、移動局装置は、追加される論理アンテナポート数を特定できる。
【０１２３】
追加される論理アンテナポート数または高次ＭＩＭＯが使用される場合の論理アンテナポート数を特定すると、高次ＭＩＭＯを使用するように基地局装置によって設定された移動局装置は、追加される論理アンテナポート数に対して、１０ｍｓの１無線フレーム内のサブフレームの上から順に配置されるというような規則を適用して、ＣＱＩ−ＲＳが配置されるサブフレームを判断する。例えば、追加される論理アンテナポート数が６本の場合、移動局装置は、サブフレーム＃０、サブフレーム＃１、サブフレーム＃２、サブフレーム＃３、サブフレーム＃４、サブフレーム＃５にそれぞれ、論理アンテナポート３、論理アンテナポート４、論理アンテナポート５、論理アンテナポート６、論理アンテナポート７、論理アンテナポート８が配置されると判断する。このようにすると、各論理アンテナポート３から８は、１０ｍｓに１回の割合で配置されることになる。または、１つのサブフレームに対して複数の論理アンテナポートを追加することも可能である。その場合は、例えば、追加される論理アンテナポート数が６本の場合、移動局装置は、サブフレーム＃０、サブフレーム＃１、サブフレーム＃２にそれぞれ、論理アンテナポート３および論理アンテナポート４、論理アンテナポート５および論理アンテナポート６、論理アンテナポート７および論理アンテナポート８が配置されると判断する。
【０１２４】
また、２無線フレームごとにＣＱＩ−ＲＳを配置するようにしても良い。その場合、例えば、偶数無線フレームにＣＱＩ−ＲＳが配置されるような規則を適用する。さらには、連続したサブフレームではなく２サブフレームおきに配置するような規則を適用してもよい。また、ＣＱＩ−ＲＳが配置されるサブフレームをビットマップにて表現するようにしても良い。例えば、ビットマップが、サブフレーム０〜９に対して、０１０１０１０１１１と表現された場合、サブフレーム１、３、５、７、８、９が指定されたサブフレームとなる。例えば、ＣＱＩ−ＲＳが配置されるサブフレームがビットマップにて特定されると、各サブフレームに上から順に追加される論理アンテナポートを配置する。また、論理アンテナポートと、その論理アンテナポートのＣＱＩ−ＲＳが配置されるサブフレームの関係を示す識別情報を通知するようにしても良い。
【０１２５】
このようにシステム情報を構成することにより、より少ないオーバヘッドでＣＱＩ−ＲＳの位置を移動局装置に認識させることが可能となる。基地局装置は、移動局装置が認識している場所にＣＱＩ−ＲＳを配置して送信する。また、別のシステム情報でＭＢＭＳのためのサブフレームや基地局装置が予約したサブフレームの設定がされた場合、移動局装置は、そのサブフレームにはＣＱＩ−ＲＳは配置されないと判断する。すなわち、ＭＢＭＳのためのサブフレームや基地局装置が予約したサブフレームが優先される。
【０１２６】
これらの高次ＭＩＭＯ用のＣＱＩ−ＲＳの特定の仕組みは、ＣｏＭＰにおけるＣＱＩ−ＲＳにも適用することが可能である。すなわち、ＣｏＭＰのモードが設定された移動局装置は、追加される論理アンテナポート数またはＣｏＭＰが使用される場合の論理アンテナポート数を特定すると、上記のような規則を適用して、ＣＱＩ−ＲＳが配置されるサブフレームを判断する。このように、高次ＭＩＭＯの場合と同じ仕組みを利用することによって、システム情報の削減及び移動局装置の実装の簡単化が可能となる。さらには、高次ＭＩＭＯ用のＣＱＩ−ＲＳと同じサブフレームが、ＣｏＭＰ用のＣＱＩ−ＲＳとするようにしても良い。
【０１２７】
ＣＱＩ−ＲＳのリソースブロック内での配置例を図７に示す。この例では、論理アンテナポート６のＣＱＩ−ＲＳが、各ＰＲＢの第３ＯＦＤＭシンボルの第１サブキャリアに配置されている。第３ＯＦＤＭシンボルは、第一の論理アンテナポートの参照信号が配置されていなかったシンボルであるため、隣接セルの参照信号との競合や、第一の論理アンテナポートのパワーブーストの影響を受けない。論理アンテナポート６のＣＱＩ−ＲＳは、偶数ＰＲＢには、スロット０にのみ、奇数ＰＲＢには、スロット１にのみ配置されている。このように、スロット間、およびＰＲＢ間で時間、周波数にまばらに配置する（第二の論理アンテナポートの参照信号を配置するリソースエレメントの間隔を、第一の論理アンテナポートの参照信号を配置するリソースエレメントの周波数・時間間隔に比べて広くする。あるいは第二の論理アンテナポートの参照信号を配置するサブフレームの間隔を、第一の論理アンテナポートの参照信号を配置するサブフレームの間隔に比べて長くする）ことにより、既存移動局装置への影響を抑え、参照信号によるオーバヘッドを抑えることができる。また、高次ＭＩＭＯを行う移動局装置は、時間変動の少ない環境の移動局装置であることが想定されるので、ＣＱＩ−ＲＳをスロット間で異なるサブキャリアに配置することで、周波数変動の測定に特化した配置となる。もちろん、各ＰＲＢのスロット０の第１サブキャリアと、各ＰＲＢのスロット１の第７サブキャリアにＣＱＩ−ＲＳを配置するなどの構成や、３の倍数のＰＲＢかつスロット０と、３の倍数＋１のＰＲＢかつスロット１にＣＱＩ−ＲＳを配置するなどの構成でも良い。
【０１２８】
図８は、ＣＱＩ−ＲＳとＤＭ−ＲＳの追加の概念図である。各サブフレームには、ＥＵＴＲＡ用の参照信号が配置されている。論理アンテナポート６および論理アンテナポート７のＣＱＩ−ＲＳが、１０ｍｓ間隔で別々のサブフレームに配置されている。高次ＭＩＭＯの移動局装置にスケジューリングされたＰＲＢには、ＤＭ−ＲＳがさらに付与されている。上述したように、ＣＱＩ−ＲＳが追加されたサブフレームにおいても、追加された参照信号を認識していない移動局装置がスケジューリングされるが、パンクチャされたデータは、エラー訂正やＨＡＲＱで解決される。また、この問題は、基地局装置が、追加された参照信号を認識していない移動局装置を、追加された参照信号が配置されるサブフレームにスケジューリングしないなどの方法によっても、解決される。
【０１２９】
図９は、チャネル状態情報の測定方法の例を示した図である。ＥＵＴＲＡでは、チャネル状態情報を測定する際のＣＱＩ−ＲＳには、移動局装置の処理時間を考慮して、すくなくとも、４サブフレーム以上前の参照信号が使用される。すなわち、チャネル状態情報を送信するサブフレームｎに対して、サブフレーム（ｎ−４）またはサブフレーム（ｎ−４）より前のサブフレームで、かつ、有効なサブフレーム、の参照信号が使用される。ここで有効なサブフレームとは、セルに対してＭＢＳＦＮのために予約されたサブフレームではないサブフレームや、移動局装置に対してメジャメントギャップに設定されていないサブフレームや、ＴＤＤの際の下りリンクサブフレームとして設定されているサブフレームなどのことを示す。このチャネル状態を測定する際に想定されるサブフレームが、時間方向のＣＱＩ参照リソースとなる。しかしながら、高次ＭＩＭＯやＣｏＭＰのために追加されるＣＱＩ−ＲＳは、すべてのサブフレームに配置されるわけではなく、また、ＣＱＩ−ＲＳは、論理アンテナポートごとに配置されるサブフレームが異なる。そのため、高次ＭＩＭＯやＣｏＭＰを利用することができる移動局装置は、ＣＱＩ−ＲＳの受信信号を保持する機構（受信したＣＱＩ−ＲＳを記憶するバッファ）を備え、高次ＭＩＭＯやＣｏＭＰに設定された移動局装置は、論理アンテナポートごとのＣＱＩ−ＲＳの受信信号を保持する。
【０１３０】
すなわち、チャネル状態の測定に使用する複数の論理アンテナポートのそれぞれの論理アンテナポートの参照信号は、チャネル状態情報の送信が指定されているサブフレームから一定サブフレーム以上前のサブフレームで、最も近い有効な、かつ、それぞれの論理アンテナポートの参照信号が配置されるサブフレームの参照信号とする。ただし、ＥＵＴＲＡ用の参照信号に対しては、チャネル状態の測定に使用する複数の論理アンテナポートのそれぞれの論理アンテナポートの参照信号は、チャネル状態情報の送信が指定されているサブフレームから一定サブフレーム以上前のサブフレームで、最も近い有効なサブフレームの参照信号となる。この際、想定される時間方向のＣＱＩ参照リソースは、ＥＵＴＲＡと同様、チャネル状態情報の送信が指定されているサブフレームから一定サブフレーム以上前のサブフレームで、最も近い有効なサブフレームとする。移動局装置は、この想定される時間方向のＣＱＩ参照リソースで、時間方向のＣＱＩ参照リソース以前の論理アンテナポートの参照信号の信号状態に基づくチャネル状態測定用のトランスポートブロックを想定して、チャネル状態を測定する。
【０１３１】
例えば、図９に示すように、ＥＵＴＲＡ用の参照信号を論理アンテナポート１、論理アンテナポート２とし、サブフレーム０、サブフレーム１、サブフレーム２、サブフレーム３、サブフレーム４、サブフレーム５にそれぞれ、論理アンテナポート３、論理アンテナポート４、論理アンテナポート５、論理アンテナポート６、論理アンテナポート７、論理アンテナポート８のＣＱＩ−ＲＳを追加する。無線フレーム１のサブフレーム１でチャネル状態情報の送信を行う場合、移動局装置は、無線フレーム０のサブフレーム７（４つ前のサブフレーム）に配置されている論理アンテナポート１および論理アンテナポート２と、無線フレーム０のサブフレーム７または無線フレーム０のサブフレーム７よりも前のサブフレームのうち、最も近い有効な、各論理アンテナポートが配置されているサブフレームに配置されるＣＱＩ−ＲＳ、（すなわち、無線フレーム０のサブフレーム０、サブフレーム１、サブフレーム２、サブフレーム３、サブフレーム４、サブフレーム５にそれぞれ配置されている論理アンテナポート３、論理アンテナポート４、論理アンテナポート５、論理アンテナポート６、論理アンテナポート７、論理アンテナポート８）を使用してチャネル状態情報の測定を行う。移動局装置は、測定したチャネル状態情報を基地局装置へ報告する。
【０１３２】
また、無線フレーム２のサブフレーム２が有効なサブフレームではない場合で、無線フレーム２のサブフレーム６でチャネル状態情報の送信を行う場合、移動局装置は、無線フレーム２のサブフレーム１（４つ前以上でかつ最も近い有効なサブフレーム）に配置されている論理アンテナポート１および論理アンテナポート２と、無線フレーム２のサブフレーム２または無線フレーム０のサブフレーム２よりも前のサブフレームのうち、最も近い有効な、各論理アンテナポートが配置されているサブフレームに配置されるＣＱＩ−ＲＳ、（すなわち、無線フレーム２のサブフレーム０、無線フレーム２のサブフレーム１、無線フレーム１のサブフレーム２、無線フレーム１のサブフレーム３、無線フレーム１のサブフレーム４、無線フレーム１のサブフレーム５にそれぞれ配置されている論理アンテナポート３、論理アンテナポート４、論理アンテナポート５、論理アンテナポート６、論理アンテナポート７、論理アンテナポート８）を使用してチャネル状態情報の測定を行う。移動局装置は、測定したチャネル状態情報を基地局装置へ報告する。
【０１３３】
図１０は、チャネル状態情報の測定方法の別の例を示した図である。例えば、図１０に示すように、ＥＵＴＲＡ用の参照信号を論理アンテナポート１、論理アンテナポート２とし、サブフレーム０、サブフレーム１、サブフレーム２にそれぞれ、論理アンテナポート３および論理アンテナポート４、論理アンテナポート５および論理アンテナポート６、論理アンテナポート７および論理アンテナポート８のＣＱＩ−ＲＳを追加する。この場合、複数の論理アンテナポートのＣＱＩ−ＲＳが1つのサブフレームに配置されているため、移動局装置は、論理アンテナポートごとにＣＱＩ−ＲＳの受信信号を保持するのではなく、複数論理アンテナポートごとにＣＱＩ−ＲＳの受信信号を保持するようにしても良い。
【０１３４】
図９、図１０では、周期的レポートの場合について説明したが、非周期的レポートの場合も同様の処理を行う。移動局装置は、移動局装置がサブフレームｎで受信した物理下りリンク制御チャネル（ＰＤＣＣＨ）でＣＱＩ要求を検出した際に、サブフレームｎ＋ｋで、物理上りリンク共用チャネル（ＰＵＳＣＨ）にて、ＣＱＩおよび／またはＲＩおよび／またはＰＭＩの非周期的レポートを、基地局装置へ送信する。ｋは、ＦＤＤの場合は４であるが、ＴＤＤの場合は、下りリンク及び上りリンクのサブフレーム設定によって異なる。この場合、チャネル状態の測定に使用する複数の論理アンテナポートのそれぞれの論理アンテナポートの参照信号は、チャネル状態情報の送信を要求するＣＱＩ要求を検出したサブフレームｎまたはそれ以前のサブフレームｎ−ｊで、最も近い有効な、かつ、それぞれの論理アンテナポートの参照信号が配置されるサブフレームの参照信号とする。
【０１３５】
高次ＭＩＭＯやＣｏＭＰが設定された移動局装置は、ＲＩのフィードバックおよび／またはＰＭＩおよび／またはＣＱＩの測定の際に、各論理アンテナポートが配置されるサブフレームの位置に応じて、直近のサブフレームに配置された論理アンテナポートの参照信号の影響がより大きくなるようなフィルタ（時間的に近い論理アンテナポートの参照信号の電力やＳＮを大きくし、時間的に遠い論理アンテナポートの参照信号の電力やＳＮを小さくするなど）を用いるように制御してもよい。すなわち、移動局装置は、ＣＱＩ参照リソースで、時間方向のＣＱＩ参照リソース以前の論理アンテナポートの参照信号の信号状態に基づくチャネル状態測定用のトランスポートブロックを想定して、チャネル状態を測定するが、この時間方向のＣＱＩ参照リソース以前の論理アンテナポートの参照信号の信号状態に基づくチャネル状態測定用のトランスポートブロックの想定の際に、時間的な影響を考慮した想定をするようにする。
【０１３６】
例えば、論理アンテナポート数が８、コードワード数が２の場合について説明する。任意のリソースエレメント（ＲＥ）における８つの論理アンテナポートのそれぞれの受信信号をｓ１、ｓ２、ｓ３、ｓ４、ｓ５、ｓ６、ｓ７、ｓ８とし、受信信号ベクトルｓをｓ＝［ｓ１  ｓ２  ｓ３  ｓ４  ｓ５  ｓ６  ｓ７  ｓ８］Ｔとし(ただし、Ｔは転置行列を示す)、プレコーディングマトリックスをＲ、受信重み行列をＷとすると、このＲＥにおける２つのコードワードの受信信号ｃ１とｃ２は、ｃ＝［ｃ１  ｃ２］Ｔとして、ｃ＝Ｒ-1ＷＡｓと算出することができる。ここで、Ａはポート毎の係数（α１からα８）を対角成分として持つ対角行列であり、各係数は、時間的に近い論理ポートの係数を大きく、逆に時間的に遠い論理ポートの係数を小さくするように定められる。雑音ベクトルに関しても受信信号ベクトルと同様の処理を行うことで、このＲＥにおける２つのコードワードの雑音信号電力が得られる。このようにして得られた２つのコードワードの受信信号電力（受信信号の絶対値の２乗）と雑音電力を、複数のＲＥに渡って算出して加算し、合計（各コードワードに対応したトランスポートブロックのＣＱＩ参照リソース分）の受信信号電力と雑音電力とを算出することにより、時間方向の変動を考慮したＲＩのフィードバックおよび／またはＰＭＩおよび／またはＣＱＩの測定を行うことができる。このようにすることによって、サブフレームが時間的に離れている場合においても、精度のよい測定結果が得られる確率が向上する。
【０１３７】
このようにすることにより、移動局装置は、基地局装置からの指示をすることなく自動的に、ＣＱＩ−ＲＳを特定し、状況に応じて、最近のＣＱＩ−ＲＳを使ったチャネル状態情報の測定およびチャネル状態情報のフィードバックが可能となる。基地局装置は、移動局装置がどの時点での参照信号を使用して測定結果を報告しているのかを把握することができるので、内部でフィルタリングを用いたりチャネル変動を予測したりする際に、重要な情報を予め知ることができることになる。
【０１３８】
上記のそれぞれの実施形態においては、基地局装置および移動局装置は複数であっても良い。また、移動局装置とは、移動する端末に限らず、情報端末や基地局装置や固定端末に移動局装置の機能を実装することなどにより実現しても良い。
【０１３９】
また、以上説明したそれぞれの実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行っても良い。なお、ここでいう「コンピュータシステム」とは、ＯＳや周辺機器等のハードウェアを含むものとする。
【０１４０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１４１】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１４２】
１００…基地局装置、１０１…データ制御部、１０２…ＯＦＤＭ変調部、１０３…無線部、１０４…スケジューリング部、１０５…チャネル推定部、１０６…ＤＦＴ−Ｓ−ＯＦＤＭ復調部、１０７…データ抽出部、１０８…上位層、２００…移動局装置、２０１…データ制御部、２０２…ＤＦＴ−Ｓ−ＯＦＤＭ変調部、２０３…無線部、２０４…スケジューリング部、２０５…チャネル推定部、２０６…ＯＦＤＭ復調部、２０７…データ抽出部、２０８…上位層、Ａ１，Ａ２…アンテナ部、１０００１…基地局装置、１０００２…基地局装置、１１…送信部、２１…送信部、２２…送信部、３００…制御局。
【図１】
2010103886.tif 000003
【図２】
2010103886.tif 000004
【図３】
2010103886.tif 000005
【図４】
2010103886.tif 000006
【図５】
2010103886.tif 000007
【図６】
2010103886.tif 000008
【図７】
2010103886.tif 000009
【図８】
2010103886.tif 000010
【図９】
2010103886.tif 000011
【図１０】
2010103886.tif 000012
【図１１】
2010103886.tif 000013
【国際調査報告】
2010103886.tif 000014
2010103886.tif 000015
2010103886.tif 000016
2010103886.tif 000017